(57)【特許請求の範囲】
【請求項１】
ロック解除連動アンケートモバイルアプリケーションソフトフェアが設置されているモバイルディバイスにおけるロック画面モードからメイン画面モードに切り替える際のユーザインタフェース方法であって、
前記ロック画面モードは、第１分割画面と、前記第１分割画面と分離されて区画される第２分割画面と、を含み、前記第１分割画面にはアンケートコンテンツが表示され、前記第２分割画面には前記アンケートコンテンツにマッチする応答コンテンツを含む２つ以上の応答画面と前記応答画面に対応する方向性パターンが定義されて可視化されており、
前記モバイルディバイスの入力手段が前記第２分割画面で前記方向性パターンに対応するジェスチャーイベントを生成すれば、前記メイン画面モードに進入するステップを含み、
前記モバイルディバイスは、前記メイン画面モードに進入する前に、前記ジェスチャーイベントが生成されれば累積応答結果を予め設定した時間の間に表示することを特徴とする、アンケートが連動されたユーザインタフェース方法。
【請求項２】
前記累積応答結果は、
前記モバイルディバイスが前記ジェスチャーイベントに対応する応答データを抽出してサービスサーバに伝送し、
前記サービスサーバが複数のモバイルディバイスから受信された応答データを累積してリアルタイムに導出されることを特徴とする、請求項１に記載のアンケートが連動されたユーザインタフェース方法。
【請求項３】
前記第１分割画面には前記アンケートコンテンツ及び前記アンケートコンテンツにマッチする応答コンテンツを変更し得るマークが定義されて可視化されており、
前記モバイルディバイスは、サービスサーバから受信される複数個のアンケートコンテンツ及び前記アンケートコンテンツにマッチする応答コンテンツを、前記入力手段が前記マークをタッチするタッチイベントを生成するたびに変更して前記第１分割画面及び前記第２分割画面にそれぞれ表示することを特徴とする、請求項１に記載のアンケートが連動されたユーザインタフェース方法。
【請求項４】
前記ジェスチャーイベントは、前記入力手段が前記方向性パターンから始まって２つ以上の前記応答画面のうちいずれか一つの応答画面にスライディングタッチすることを特徴とする、請求項１に記載のアンケートが連動されたユーザインタフェース方法。
【請求項５】
前記モバイルディバイスは、前記アンケートコンテンツに対応するイメージを前記第１分割画面に前記アンケートコンテンツと共に表示するか、または前記応答コンテンツに対応するイメージを前記応答画面に前記応答コンテンツと共に表示することを特徴とする、請求項１に記載のアンケートが連動されたユーザインタフェース方法。
【請求項６】
前記ロック画面モードは、
前記第１分割画面及び前記第２分割画面と分離されて区画される第３分割画面を更に含み、
前記モバイルディバイスは、前記入力手段が前記第３分割画面をタッチするタッチイベントを生成すれば、前記ロック画面モードを前記メイン画面モードに切り替えることを特徴とする、請求項１に記載のアンケートが連動されたユーザインタフェース方法。
【請求項７】
前記モバイルディバイスは、前記入力手段が前記ロック画面モードの前記方向性パターン以外の領域でスライディングタッチイベントを生成すれば、前記ロック画面モードを前記メイン画面モードに切り替えることを特徴とする、請求項１に記載のアンケートが連動されたユーザインタフェース方法。
【請求項８】
ロック解除連動アンケートモバイルアプリケーションソフトウェアが設置され、無線通信部を介してサービスサーバーと通信しながら受信されるアンケートコンテンツをロック画面モードを介して表示し、入力手段によってジェスチャーイベントの入力を受けて応答データを前記サービスサーバに伝送する動作を行うモバイルディバイスであって、データを貯蔵するメモリと、プロセッサと、を含み、
前記プロセッサは、
前記ロック解除連動アンケートモバイルアプリケーションソフトウェアを実行することで、
（ａ）前記ロック画面モードを第１分割画面と、前記第１分割画面と分離されて区画される第２分割画面で構成し、前記第１分割画面にはアンケートコンテンツが表示され、前記第２分割画面には前記アンケートコンテンツにマッチする応答コンテンツを含む２つ以上の応答画面と前記応答画面に対応する方向性パターンを可視化する動作と、
（ｂ）前記モバイルディバイスの入力手段が前記第２分割画面で前記方向性パターンに対応するジェスチャーイベントを生成すれば、メイン画面モードに進入するように制御する動作と、を行い、
前記プロセッサは、
前記メイン画面モードに進入する前に、前記ジェスチャーイベントが生成されれば累積応答結果を予め設定した時間の間に表示する動作を更に行う、モバイルディバイス。
【請求項９】
前記累積応答結果は、
前記モバイルディバイスが前記ジェスチャーイベントに対応する応答データを抽出して前記サービスサーバに伝送し、
前記サービスサーバが複数のモバイルディバイスから受信された応答データを累積してリアルタイムに導出されることを特徴とする、請求項８に記載のモバイルディバイス。
【請求項１０】
前記動作（ａ）は、
前記第１分割画面に前記アンケートコンテンツ及び前記アンケートコンテンツにマッチする応答コンテンツを変更し得るマークを定義して可視化し、
サービスサーバから受信される複数個のアンケートコンテンツ及び前記アンケートコンテンツにマッチする応答コンテンツを、前記入力手段がマークをタッチするタッチイベントを生成するたびに変更して前記第１分割画面及び前記第２分割画面にそれぞれ表示する動作を行うことを特徴とする、請求項８に記載のモバイルディバイス。
【請求項１１】
前記ジェスチャーイベントは、前記入力手段が前記方向性パターンから始まって２つ以上の前記応答画面のうちいずれか一つの応答画面にスライディングタッチすることを特徴とする、請求項８に記載のモバイルディバイス。
【請求項１２】
前記動作（ａ）は、
前記アンケートコンテンツに対応するイメージを前記第１分割画面に前記アンケートコンテンツと共に表示するか、または前記応答コンテンツに対応するイメージを前記応答画面に前記応答コンテンツと共に表示することを特徴とする、請求項８に記載のモバイルディバイス。
【請求項１３】
前記ロック画面モードは、
前記第１分割画面及び前記第２分割画面と分離されて区画される第３分割画面を更に含み、
前記プロセッサは、
前記動作（ａ）の後、
前記入力手段が前記第３分割画面をタッチするタッチイベントを生成すれば、前記メイン画面モードに進入するように制御する動作を行う、請求項８に記載のモバイルディバイス。
【請求項１４】
前記プロセッサは、
前記動作（ａ）の後、
前記入力手段が前記ロック画面モードの前記方向性パターン以外の領域でスライディングタッチイベントを生成すれば、前記メイン画面モードに進入するように制御することを特徴とする、請求項８に記載のモバイルディバイス。
【発明の詳細な説明】
【技術分野】
【０００１】
本発明はユーザインタフェースに関し、より詳しくは、アンケートが連動されたユーザインタフェース方法に関する。
【背景技術】
【０００２】
アンケートは人々の意見を調査するために様々な人に同じ質問をして回答を得ることであって、一般にある対象に関する簡単な内容の質問票をオンラインまたはオフラインで配布して質問に回答してもらうか、または有無線電話を介して応答結果を導出する方法が利用されている。
【０００３】
従来はアンケートを専門の需要調査会社に依頼する方法が利用されていたが、時間が長くかかり、コストも多く発生していた。また、専門の需要調査会社に依頼せずに個人的に多数の人々の意見を調査することも難しく限界があった。
効率でありながらも信頼性の高いアンケート結果を導出するためには、アンケートが必要な需要者側においては、アンケートの手順が簡単で、コストが低く、また多くの調査対象者を確保すべきである。また、アンケートの調査対象者側においても、設問応答が簡単で容易に参加することができ、時間が長くかからない方がよい。
【０００４】
一方、スマートフォンが世界人の必需品になってから相当時間が経ており、ある需要調査によると、スマートフォンユーザが一日スマートフォンを確認する回数が平均７６回にも至るという。つまり、スマートフォンのユーザは一日平均７６回のスマートフォンのロック画面を見るようになるということである。
【０００５】
そこで、本発明の発明者はこのような世界人が使用中のスマートフォンのロック画面を利用して、簡単で容易で信頼性の高いアンケート結果を得るように長年研究し努力した末、本発明を完成するに至った。
【発明の概要】
【発明が解決しようとする課題】
【０００６】
本発明は超低コストで、非常に容易で簡単ながらも国境を越えた絶対多数の人々の意見を調査することができるアンケートが連動されたユーザインタフェース方法を提供しようとする。
【０００７】
一方、本発明の明示されていない他の目的は、下記詳細な説明及びその他の効果から容易に推論し得る範囲内で追加的に考慮されるはずである。
【課題を解決するための手段】
【０００８】
このような課題を達成するために、本発明の一実施例によると、ロック解除連動アンケートモバイルアプリケーションソフトフェアが設置されているモバイルディバイスにおけるロック画面モードからメイン画面モードに切り替える際のユーザインタフェース方法であって、
前記ロック画面モードは、第１分割画面と、前記第１分割画面から分離されて区画される第２分割画面と、を含み、前記第１分割画面にはアンケートコンテンツが表示され、前記第２分割画面には前記アンケートコンテンツにマッチする応答コンテンツを含む２つ以上の応答画面と前記応答画面に対応する方向性パターンが定義されて可視化されており、
前記モバイルディバイスの入力手段が前記第２分割画面で前記方向性パターンに対応するジェスチャーイベントを生成すれば、前記メイン画面モードに進入するステップを含む、アンケートが連動されたユーザインタフェース方法を提供する。
【０００９】
前記モバイルディバイスは、前記メイン画面モードに進入する前に、前記ジェスチャーイベントが生成されれば累積応答結果を予め設定した時間の間に表示する。
【００１０】
前記累積応答結果は、
前記モバイルディバイスが前記ジェスチャーイベントに対応する応答データを抽出してサービスサーバに伝送し、
前記サービスサーバが複数のモバイルディバイスから受信された応答データを累積してリアルタイムに導出される。
【００１１】
前記モバイルディバイスは、サービスサーバから受信される複数個のアンケートコンテンツ及び前記アンケートコンテンツにマッチする応答コンテンツを時間インターバル、または前記モバイルディバイスから発生した応答イベントに応じて変更して前記第１分割画面及び前記第２分割画面にそれぞれ表示する。
【００１２】
前記第１分割画面には前記アンケートコンテンツ及び前記アンケートコンテンツにマッチする応答コンテンツを変更し得るマークが定義されて可視化されており、
前記モバイルディバイスは、サービスサーバから受信される複数個のアンケートコンテンツ及び前記アンケートコンテンツにマッチする応答コンテンツを前記入力手段がマークをタッチするタッチイベント生成時ごとに変更して、前記第１分割画面及び前記第２分割画面にそれぞれ表示する。
【００１３】
前記ジェスチャーイベントは、前記入力手段が前記方向性パターンから始まって２つ以上の前記応答画面のうちいずれか一つの応答画面にスライディングタッチすることであってもよい。
【００１４】
前記モバイルディバイスは、前記アンケートコンテンツに対応するイメージを前記第１分割画面に前記アンケートコンテンツと共に表示するか、または前記応答コンテンツに対応するイメージを前記応答画面に前記応答コンテンツと共に表示する。
【００１５】
前記ロック画面モードは、
前記第１分割画面及び前記第２分割画面と分離されて区画される第３分割画面を更に含み、
前記モバイルディバイスは、前記入力手段が前記第３分割画面をタッチするタッチイベントを生成すれば、前記ロック画面モードを前記メイン画面モードに切り替える。
【００１６】
前記モバイルディバイスは、前記入力手段が前記ロック画面モードの前記方向性パターン以外の領域でスライディングタッチイベントを生成すれば、前記ロック画面モードを前記メイン画面モードに切り替える。
【００１７】
本発明の他の実施例によると、ロック解除連動アンケートモバイルアプリケーションソフトウェアが設置され、無線通信部を介してサービスサーバーと通信しながら受信されるアンケートコンテンツをロック画面モードを介して表示し、入力手段によってジェスチャーイベントの入力を受けて応答データを前記サービスサーバに伝送する動作を行うモバイルディバイスであって、データを貯蔵するメモリと、プロセッサと、を含み、
前記プロセッサは、
前記ロック解除連動アンケートモバイルアプリケーションソフトウェアを実行することで、
（ａ）前記ロック画面モードを第１分割画面と、前記第１分割画面と分離されて区画される第２分割画面で構成し、前記第１分割画面にはアンケートコンテンツが表示され、前記第２分割画面には前記アンケートコンテンツにマッチする応答コンテンツを含む２つ以上の応答画面と前記応答画面に対応する方向性パターンを可視化する動作と、
（ｂ）前記モバイルディバイスの入力手段が前記第２分割画面で前記方向性パターンに対応するジェスチャーイベントを生成すれば、前記メイン画面モードに進入するように制御する動作と、を行うことを特徴とする、モバイルディバイスを提供する。
【００１８】
前記プロセッサは、
前記メイン画面モードに進入する前に、前記ジェスチャーイベントが生成されれば累積応答結果を予め設定した時間の間に表示する動作を更に行ってもよい。
【００１９】
前記累積応答結果は、
前記モバイルディバイスが前記ジェスチャーイベントに対応する応答データを抽出して前記サービスサーバに伝送し、
前記サービスサーバが複数のモバイルディバイスから受信された応答データを累積してリアルタイムに導出される。
【００２０】
前記動作（ａ）は、
サービスサーバから受信される複数個のアンケートコンテンツ及び前記アンケートコンテンツにマッチする応答コンテンツを時間インターバル、または前記モバイルディバイスから発生した応答イベントに応じて変更して前記第１分割画面及び前記第２分割画面にそれぞれ表示する。
【００２１】
前記動作（ｂ）は、
前記第１分割画面に前記アンケートコンテンツ及び前記アンケートコンテンツにマッチする応答コンテンツを変更し得るマークを定義して可視化し、
サービスサーバから受信される複数個のアンケートコンテンツ及び前記アンケートコンテンツにマッチする応答コンテンツを前記入力手段がマークをタッチするタッチイベント生成時ごとに変更して、前記第１分割画面及び前記第２分割画面にそれぞれ表示する動作を行う。
【００２２】
前記ジェスチャーイベントは、前記入力手段が前記方向性パターンから始まって２つ以上の前記応答画面のうちいずれか一つの応答画面にスライディングタッチすることであってもよい。
【００２３】
前記動作（ａ）は、
前記アンケートコンテンツに対応するイメージを前記第１分割画面に前記アンケートコンテンツと共に表示するか、または前記応答コンテンツに対応するイメージを前記応答画面に前記応答コンテンツと共に表示する。
【００２４】
前記ロック画面モードは、
前記第１分割画面及び前記第２分割画面と分離されて区画される第３分割画面を更に含み、
前記プロセッサは、
前記動作（ａ）の後、
前記入力手段が前記第３分割画面をタッチするタッチイベントを生成すれば、前記メイン画面モードに進入するように制御する動作を行う。
【００２５】
前記プロセッサは、
前記動作（ａ）の後、
前記入力手段が前記ロック画面モードの前記方向性パターン以外の領域でスライディングタッチイベントを生成すれば、前記メイン画面モードに進入するように制御する。
【発明の効果】
【００２６】
このような本発明によるアンケートが連動されたユーザインタフェース方法を利用すると、国境を越えた絶対多数の人々の意見を超低コストで、非常に容易で簡単に調査することができるようになる。
【００２７】
一方、ここで明示的に言及されていない効果であっても、本発明の技術的特徴によって期待される以下の明細書に記載された効果及びその暫定的な効果は、本発明の明細書に記載されているように取り扱われることを付言する。
【図面の簡単な説明】
【００２８】
【図１】本発明によるアンケートが連動されたインタフェース方法を発明する前の発明者の考慮を図案化した図である。
【図２】本発明の一実施例であって、アンケートが連動されたインタフェース方法による実際のモバイルフォンのロック画面を示す図である。
【図３】本発明の一実施例であって、アンケートが連動されたインタフェース方法によるロック画面の構成を説明するための図である。
【図４】本発明の一実施例であって、アンケートが連動されたインタフェース方法のロック画面４ａにおける累積結果表示画面４ｂを経てメイン画面４ｃに進行することを示す図である。
【図５】本発明の一実施例であって、モバイルディバイスとサービスサーバの無線通信を介してデータを授受することを示す図である。
【図６】本発明の一実施例であって、ジェスチャーイベントによってアンケートの結果が導出されることを説明するための図である。
【図７】本発明の一実施例であって、マークのタッチイベントによってアンケートコンテンツが変更されることを示す図である。
【図８】本発明の一実施例であって、第３分割画面をタッチするタッチイベントによってロック画面からメイン画面に変更されることを示す図である。
【図９】本発明の一実施例であって、方向性パターン以外の領域でスライディングタッチの際にロック画面からメイン画面に変更されることを示す図である。
【図１０】本発明の一実施例であって、図２とは異なる第２分割画面の上下２分割のロック画面を示す図である。
【図１１】本発明の一実施例であって、第２分割画面の３分割のロック画面を示す図である。
【図１２】本発明の一実施例であって、第２分割画面の４分割のロック画面を示す図である。
【図１３】本発明の一実施例であって、図１２とは異なる第２分割画面の４分割のロック画面を示す図である。
【００２９】
添付した図面は本発明の技術思想に関する理解のために参照として例示されることを明らかにし、本発明の権利範囲はそれによって制限されない。
【発明を実施するための形態】
【００３０】
以下、本発明を説明するに当たって、関連する公知機能に関して本分野の技術者に自明な事項であって、本発明の要旨を不明確にする恐れがあると判断される場合、その詳細な説明は省略する。
【００３１】
本出願で使用された用語は単に特定の実施例を説明するために使用されたものであって、本発明を限定するものではない。単数の表現は、文脈上明白に異なるように意味しない限り、複数の表現を含む。本出願において、「含む」または「有する」などの用語は明細書の上に記載された特徴、数字、ステップ、動作、構成要素、部品またはこれらを組み合わせたものが存在することを指定するものであって、一つまたはそれ以上の他の特徴や数字、ステップ、動作、構成要素、部品またはこれらを組み合わせたものの存在または付加可能性を予め排除しないと理解すべきである。
【００３２】
以下、本発明によるアンケートが連動されたユーザインタフェース方法の実施例を添付した図面を参照して詳細に説明するが、添付した図面を参照して説明するに当たって、同じであるか対応する構成要素は同じ図面番号を与え、それに関する重複する説明は省略する。
【００３３】
図１は、本発明によるアンケートが連動されたインタフェース方法を発明する前の発明者の考慮を図案化した図である。
【００３４】
図１に示したように、本発明の発明者はアンケート調査において、アンケート調査の需要者の立場ではどうすれば少ないコストで簡単な手順を経て国境を越えた多くの対象者をアンケート設問に参加させることができるのかを、アンケート調査の対象者の立場ではどうすれば容易で簡便にアンケート設問に参加することができるのかを考慮することになった。
【００３５】
簡便でありながらも効果的で、信頼性の高いアンケート調査結果を得るために、アンケート調査の対象者及びアンケート調査の需要者の両方に対して容易で簡便にアンケート設問が行われるべきであることを認識するようになったが、そこで本発明の発明者は、世界人が使用するスマートフォンのロック画面を利用してアンケート調査を容易で簡便に解決し得る方法を導出するようになった。
【００３６】
図２は本発明の一実施例であって、アンケートが連動されたインタフェース方法による実際のモバイルフォンのロック画面を示す図であり、図３は本発明の一実施例であって、アンケートが連動されたインタフェース方法によるロック画面の構成を説明するための図である。
【００３７】
図２及び図３に示したように、本発明はユーザのモバイルディバイスのロック画面を利用しようとする。この際、モバイルディバイスは予め設置されたロック解除連動アンケートアプリケーションソフトウェアを実行するスマートフィン、タブレットＰＣ、ウェアラブルディバイスのうちいずれか一つである。
【００３８】
本発明によるアンケートが連動されたユーザインタフェース方法は、ロック解除連動アンケートモバイルアプリケーションソフトフェアが設置されているモバイルディバイスにおけるロック画面モードからメイン画面モードに切り替える際のインタフェース方法である。一般に、ユーザが携帯電話を使用しないまま予め設定された時間が経過すると、自動的にロック画面モードに突入するようになる。この際、ユーザがロック画面を解除するとロック画面モードはメイン画面モードに切り替えられる。
【００３９】
本発明は、このようなロック画面を解除する方法とアンケートを互いに連動するものであって、ユーザはロック解除と同時にアンケート設問に参加するようになる。つまり、アンケート設問に参加すると自動的にロック解除も行われるのである。
【００４０】
そのために、本発明のロック画面モードは第１分割画面１００と第２分割画面２００を含む。第１分割画面１００と第２分割画面２００は、それぞれユーザのディスプレー画面に互いに分離されて区画される。
【００４１】
この際、第１分割画面１００にはアンケートコンテンツＱが表示される。つまり、図２に示したように、「Ｗｈａｔ  ｃｏｕｎｔｒｙ  ｄｏ  ｙｏｕ  ｗａｎｔ  ｔｏ  ｔｒａｖｅｌ」のようなアンケート設問が表示される。
【００４２】
第２分割画面２００には上述したアンケートコンテンツＱにマッチする応答コンテンツＡが表示される。例えば、上述したアンケート設問にマッチする「Ｆｒａｎｃｅ」または「ＵＫ」などが表示される。このような応答コンテンツＡは複数で構成されるが、複数の応答コンテンツＡに対応するように第２分割画面２００は複数の応答画面２１０、２２０を含む。複数の応答画面２１０、２２０は第２分割画面２００内で互いに分離されて区画される。
【００４３】
例えば、設問が二者択一であれば、第２分割画面２００は２つの応答画面からなり、各応答画面にはアンケートコンテンツＱにマッチする互いに異なる応答コンテンツＡが表示される。設問が三者択一であれば、第２分割画面２００は３つの応答画面からなり、設問が四者択一であれば、第２分割画面２００は４つの応答画面からなる。
【００４４】
第１分割画面１００と第２分割画面２００の分離され区画される構成、または第２分割画面２００の分離及び区画に対しては本発明の権利が本発明の実施例に局限されないことを明らかにする。多様な分離及び区画が可能である。
【００４５】
第２分割画面２００には方向性パターンＰが定義されて可視化されている。方向性パターンＰは応答画面に対応して、複数の応答画面の境界に形成される。設問が二者択一で応答画面が２つであれば、各応答画面に対応するよう２つの方向性を有するように方向性パターンＰが形成される。この際の方向性は、複数の応答画面の境界から各応答画面に向かう矢印で形成される。
【００４６】
次に、モバイルディバイスの入力手段が第２分割画面２００の方向性パターンＰに対応するジェスチャーイベントＳ１を生成すれば、アンケート設問に参加すると共にユーザのディスプレー画面はメイン画面モードに進入するようになる。つまり、ユーザが矢印の方向に沿って方向性パターンＰを動かすと（スライディングタッチすると）、ロック解除と共に該当アンケート設問に参加するようになるのである。
【００４７】
図４は、本発明の一実施例であって、アンケートが連動されたインタフェース方法のロック画面における累積結果表示画面を経てメイン画面に進行することを示す図である。
【００４８】
本発明によるモバイルディバイスは、ロック解除連動アンケートモバイルアプリケーションソフトウェアの実行中、ロック画面モードでユーザのジェスチャーイベントＳ１が発生すれば、メイン画面モードに進入する前に、予め設定された時間の間にアンケート設問の応答結果をユーザディスプレー画面に表示する。
【００４９】
図４（ａ）は、本発明によるロック画面モード、図４（ｂ）は本発明による累積応答結果表示モード、図４（ｃ）はメイン画面モードを示す。ロック画面モードにおいて、「このワンピースに似合うカーデガン」というアンケートコンテンツＱの設問に対する応答として、入力手段を利用して方向性パターンＰを「清純なイメージ」の方向にジェスチャーイベントＳ１（スライディングタッチ）を進行すると、複数のユーザによるアンケート設問に対する累積応答結果が直ちに予め設定された時間の間に表示される。次に、予め設定された時間が経過すると自動的にメイン画面モードに進入する。
【００５０】
予め設定された時間は、ユーザが速めにメイン画面に進入することを望む可能性があるため、ディスプレー画面を介して結果を認知し得る時間であれば十分である。
【００５１】
図５は、本発明の一実施例であって、モバイルディバイスとサービスサーバの無線通信を介してデータを授受することを示す図である。
【００５２】
本発明によるモバイルディバイスは、無線通信部、メモリ、及びプロセッサを含む。無線通信部は、サービスサーバと無線で通信しながらデータを授受する。メモリは、アンケートコンテンツＱ及び応答コンテンツＡを一時的に貯蔵し、プロセッサは、ロック画面モードの第１分割画面１００と第２分割画面２００を可視化する動作及び入力手段によるジェスチャーイベントＳ１が発生すればそれに対応してロック画面モードをメイン画面モードに切り替える機能をする。この際、メイン画面モードに進入する前に累積結果表示画面を経るようにしてもよい。
【００５３】
図５に示したように、モバイルディバイスにおいてユーザのジェスチャーイベントＳ１によって選択された応答データはサービスサーバに伝送され、サービスサーバは複数のモバイルディバイスから受信された応答データを累積して累積応答結果を導出する。つまり、累積応答結果は、ロック解除連動アンケートモバイルアプリケーションソフトウェアが設置された複数のモバイルディバイスから受信された応答データを累積してリアルタイムに導出されるようになる。よって、ユーザは自分が選択して応答と複数の他人によって選択された結果を比較してみることができる。
【００５４】
このような構成を介して、ユーザは簡単にロックを解除する動作のみでアンケート設問に参加することができ、アンケート設問の結果を直ちに確認することができるようになる。
【００５５】
このような累積応答結果を％で簡単に表示してもよく、幾人の設問参加者のうち幾人の選択者の形でより詳しく表示してもよい。全体の参加者数を表示することで、本設問に関する関心度及び信頼度を自分でチェックしてみることもできる。
【００５６】
アンケート設問の参加のお礼として、ユーザにポイントなどの多様なリワードを提供してもよい。このようなリワードの提供を介してより多くの設問参加者を集めることができる。
【００５７】
一方、サービスサーバはアンケート設問に対する応答データを複数のモバイルディバイスから受信し蓄積することで、アンケート調査結果のみを所望のところで再利用することができる。ロック解除連動アンケートモバイルアプリケーションソフトウェアが設置され、異なるユーザによって使用されるほど応答データは蓄積され続けられるが、ユーザの数が多くなるほど調査結果の信頼度が上がるようになり、アンケート調査結果としての価値が高くなる。
【００５８】
サービスサーバはこのような信頼性の高いアンケート調査結果を再利用することで、新たな付加価値として再生産することができる。
【００５９】
本発明によるアンケートコンテンツＱ及びそれに対応する応答コンテンツＡは、時間インターバルまたはモバイルディバイスから発生した応答イベントに応じて変更し続けられる。つまり、ロック画面モードで一度設問に参加したアンケートコンテンツＱが再度表示されないようにアップデートするか、または応答せずにスキップした場合であっても、一定時間が過ぎた後で従来のアンケートコンテンツＱに応答することを望まないと判断し、新たなアンケートコンテンツＱが表示されるようにしてもよい。
【００６０】
ユーザのモバイルディバイスのロック画面に表示されるアンケートコンテンツＱは、ランダムで多様なアンケート設問が表示されるが、ユーザによっては、そして設問によっては該当設問をスキップしたいと思う可能性がある。該当設問に応答する場合、一度応答した設問は該当ユーザの画面に更に表示されないようにすることが好ましい。
【００６１】
よって、このような場合を考慮し、本発明は、時間インターバルをおいてアンケートコンテンツＱを変更するか、または一度応答イベントが発生したら該当アンケートコンテンツＱを変更するものである。一応応答イベントが発生したアンケートコンテンツＱについては、該当ユーザのモバイルディバイスには同じアンケートコンテンツＱが伝送され表示されないように設定してもよい。
【００６２】
上述したように、第１分割画面１００のアンケートコンテンツＱが時間インターバルまたは応答イベントに応じて変更される場合、第２分割画面では変更されるアンケートコンテンツＱにマッチする応答コンテンツＡが表示される。つまり、アンケートコンテンツＱが変更されれば、応答コンテンツＡもそれに合わせて異なるようになる。
【００６３】
一方、本発明はアンケートコンテンツＱが時間インターバルまたは応答イベントに応じて自動的に変更される場合以外にも、ユーザによって変更されてもよい。
【００６４】
図７は、本発明の一実施例であって、マークのタッチイベントによってアンケートコンテンツが変更されることを示す図である。
【００６５】
つまり、本発明の第１分割画面１００にアンケートコンテンツＱを変更し得るマークＭが定義されて可視化されており、ユーザがこのようなマークＭをタッチするタッチイベントＴ２が生成されれば、第１分割画面１００に表示されるアンケートコンテンツＱが異なるようになる。言い換えると、ユーザは応えたくないか応答が曖昧なアンケートコンテンツＱはスキップし、応えたいアンケートのみ応答することができるようになる。
【００６６】
図７に示したように、ロック画面モードに表示されたアンケートコンテンツＱが「Ｗｈａｔ  ｃｏｕｎｔｒｙ  ｄｏ  ｙｏｕ  ｗａｎｔ  ｔｏ  ｔｒａｖｅｌ」であり、それにマッチする応答コンテンツＡが「Ｆｒａｎｃｅ」及び「ＵＫ」であったが、ユーザによるマークＭのタッチイベントが発生すれば、アンケートコンテンツＱ及び応答コンテンツＡが変更される。図７（ａ）は変更前のアンケートコンテンツＱ及び応答コンテンツＡを示し、図７（ｂ）は変更後の新たなアンケートコンテンツＱを示す。図７（ｂ）のように、ユーザのマークＭタッチイベントに応じてアンケートコンテンツＱが「Ｗｈａｔ  ｃｏｕｎｔｒｙ  ｄｏ  ｙｏｕ  ｗａｎｔ  ｔｏ  ｔｒａｖｅｌ」から「Ｗｈａｔ  ｉｓ  ｙｏｕｒ  ｆａｖｏｒｉｔｅ  ｐｅｔ」に変更されて表示されており、それに対応する応答コンテンツＡも「Ｆｒａｎｃｅ」及び「ＵＫ」から「Ｄｏｇ」及び「Ｃａｔ」に変更されて表示されている。
【００６７】
図８には二者択一のアンケート設問が更に二者択一のアンケート設問に変更されていることが示されているが、二者択一のアンケート設問がマークＭのタッチイベントに応じて三者択一、または四者択一、更に五者択一など、多様なアンケート設問に変更されてもよいことは自明である。
【００６８】
この際、マークＭは、アンケートコンテンツＱの両側に山括弧（＜、＞）で可視化されてもよい。このようなアンケートコンテンツＱの両側の山括弧を入力手段がタッチすることで（タッチイベントＴ１の生成時）、ユーザのモバイルディスプレー画面に表示されるアンケートコンテンツＱを自ら変更してもよい。
【００６９】
山括弧のタッチによって第１分割画面１００のアンケートコンテンツＱが変更されれば、第２分割画面２００の応答コンテンツＡもアンケートコンテンツＱにマッチするように変更される。この際、新たなアンケートコンテンツＱ及び応答コンテンツＡはモバイルディバイスがサービスサーバから該当タッチイベントが生成されるたびに新たに受信してモバイルディスプレー画面に表示してもよく、予めサービスサーバから複数のアンケートコンテンツＱを受信しモバイルディバイスの貯蔵装置に貯蔵しておき、該当イベントが発生すればモバイルディスプレー画面に表示してもよい。
【００７０】
図６は、本発明の一実施例であって、ジェスチャーイベントＳ１によってアンケートの結果が導出されることを説明するための図である。図６に示したように、モバイルディバイスの入力手段が第２分割画面２００に活性化された方向性パターンＰをタッチ及びホールドし、いずれか一つの応答画面にスライディング移動した後、タッチを中止すれば、ユーザの設問参加が完成する。このようなユーザによる応答データは直ちにサービスサーバに伝送され、サービスサーバは伝送されたユーザの応答データとは異なる複数のモバイルディバイスから伝送された応答データを累積及び総合して累積応答結果を導出し、それをユーザのモバイルディバイスに伝送すると、モバイルディバイスはそれをディスプレー画面に表示する。
【００７１】
図６に示したように、ユーザは「ＵＫ」を選択したが、複数のユーザによる累積応答結果では「ＵＫ」が６０％、「Ｆｒａｎｃｅ」が４０％を占めていることがモバイルディスプレー画面に表示されると、ユーザは自分が選択したものと他人の選択結果を一緒に比べてみることもできる。
【００７２】
図８は本発明の一実施例であって、第３分割画面３００をタッチするタッチイベントによってロック画面からメイン画面に変更されることを示す図であり、図９は本発明の一実施例であって、方向性パターンＰ以外の領域でスライディングタッチの際にロック画面からメイン画面に変更されることを示す図である。
【００７３】
図８及び図９は本発明のユーザがアンケート設問に参加せずにすぐにメイン画面モードに進入することが望む場合、スキップ画面のタッチまたは方向性パターンＰ以外の領域をスライディングタッチＳ２、Ｓ３、Ｓ４、Ｓ５することでロック画面モードからメイン画面モードに進入することを示す図である。
【００７４】
図８は、ロック画面モードに別途の第３分割画面３００を含むことを示す図である。第３分割画面３００は、第１分割画面１００及び第２分割画面２００と分離されて区画されてユーザのディスプレー画面に表示される。第３分割画面３００には、メインモードへのジャンプを指す「ｓｋｉｐ」が表示されてもよい。
【００７５】
ユーザの入力手段による第３分割画面３００、つまり、スキップ画面のタッチイベントが発生すれば、図８のようにロック画面モードからすぐにメイン画面モードに切り替えられる。この際、タッチイベントとは入力手段がスキップ画面を接触してから離れることを意味する。
【００７６】
図９は、ロック画面モードに別途の第３分割画面３００を含まないことを示す図である。ユーザはロック画面モードから、入力手段を利用して方向性パターンＰ以外の領域でスライディングタッチＳ２、Ｓ３、Ｓ４、Ｓ５をすることですぐにメイン画面モードに進入することができる。スライディングタッチＳ２、Ｓ３、Ｓ４、Ｓ５とは、図９に示したように、入力手段が方向性パターンＰ以外の領域に接触した状態で一定距離を移動した後、接触を解除することを意味する。
【００７７】
ロック画面モードにおいて、ディスプレー画面に殆どを占める方向性パターンＰ以外の領域でこのようなスライディングタッチＳ２、Ｓ３、Ｓ４、Ｓ５を介してメイン画面モードにすぐに進入し得るようにすることで、ユーザが容易にメイン画面モードに進入するようにすることができる。ユーザがロック解除連動アンケートモバイルアプリケーションソフトウェアを設置したとしても、ユーザは時々アンケート設問に参加せずに迅速にメイン画面モードに進入したくなる可能性がある。この際、軽いスライディングタッチＳ２、Ｓ３、Ｓ４、Ｓ５を介してすぐにロックを解除すると共に、メイン画面モードに進入することができるようになる。
【００７８】
図１０は本発明の一実施例であって、図２とは異なる第２分割画面２００の上下２分割のロック画面を示す図であり、図１１は本発明の一実施例であって、第２分割画面２００の３分割のロック画面を示す図であり、図１２は本発明の一実施例であって、第２分割画面２００の４分割のロック画面を示す図であり、図１３は本発明の一実施例であって、図１２とは異なる第２分割画面２００の４分割のロック画面を示す図である。
【００７９】
図１０乃至図１３から見られるように、本発明によるアンケートコンテンツＱに対する応答コンテンツＡは二者択一から四者択一まで多様であり、それによる応答コンテンツＡを含む応答画面も、第２分割画面２００を２分割から４分割まで多様に分割することができる。図１０は図２とは異なる第２分割画面２００であって、図２は左右に第２分割画面２００を分割して区画しているが、図１０は上下に第２分割画面２００を分割し区画している。
【００８０】
図１１は三者択一の応答画面であって、方向性パターンＰまたは３つの応答画面に対応するように３つの矢印のみ活性化されていることが分かる。
【００８１】
図４乃至図５は四者択一の応答画面であって、互いに異なる方式で画面を分割していることを示している。
【００８２】
他にも更に多くの応答画面の個数が存在し得る。例えば、五者択一、六者択一などの応答コンテンツＡが存在してもよく、それに応じて応答画面の個数も決定される。そして、図１２乃至図１３のように四者択一の場合も多様な画面分割が存在するように、他にも応答個数に応じて多様な画面分割が存在してもよい。
【００８３】
本発明はロック解除連動アンケートモバイルアプリケーションソフトウェアが設置されたモバイルディバイスも保護範囲として要請している。つまり、ロック解除連動アンケートモバイルアプリケーションソフトウェアが設置され、無線通信部を介してサービスサーバーと通信しながらサービスサーバから受信されるアンケートコンテンツをロック画面モードを介して表示し、入力手段によってジェスチャーの入力を受けて応答データをサービスサーバに伝送する動作を行うモバイルディバイスを請求する。
【００８４】
この際のモバイルディバイスは、サービスサーバと無線通信する無線通信部、データを貯蔵するメモリ、及びプロセッサを含み、プロセッサはロック解除連動アンケートモバイルアプリケーションソフトウェアの実行を介して、ロック画面モードを第１分割画面と第１分割画面とは分離されて区画される第２分割画面に構成して表示し、第１分割画面にはアンケートコンテンツが表示され、第２分割画面にはアンケートコンテンツにマッチする２つ以上の応答コンテンツを含む応答画面が表示され、そしてこのような応答画面に対応する方向性パターンも可視化して表示した後、次にユーザのジェスチャーイベントに応じてメインモードに進入する動作を制御するようになる。
【００８５】
その後のプロセッサの動作及びその他の様々な構成については、上述したアンケートが連動されたユーザインタフェース方法に開示されているため詳細な説明は省略する。
【００８６】
本発明の保護範囲は、これまで明示的に説明した実施例の記載と表現に限らない。また、本発明の属する技術分野における自明な変更や置換によって本発明の保護範囲が制限されないことも再度付言する。
【符号の説明】
【００８７】
Ｍ：マーク
Ｑ：アンケートコンテンツ
Ａ：応答コンテンツ
Ｐ：方向性パターン
Ｓ１：ジェスチャーイベント
Ｔ１、Ｔ２：タッチイベント
Ｓ１、Ｓ２、Ｓ３、Ｓ４：スライディングタッチ
１００：第１分割画面
２００：第２分割画面
３００：第３分割画面
【要約】
本発明は、ロック解除連動アンケートモバイルアプリケーションソフトフェアが設置されているモバイルディバイスにおけるロック画面モードからメイン画面モードに切り替える際のユーザインタフェース方法であって、前記ロック画面モードは、第１分割画面と、前記第１分割画面から分離されて区画される第２分割画面と、を含み、前記第１分割画面にはアンケートコンテンツが表示され、前記第２分割画面には前記アンケートコンテンツにマッチする応答コンテンツを含む２つ以上の応答画面と前記応答画面に対応する方向性パターンが定義されて可視化されており、前記モバイルディバイスの入力手段が前記第２分割画面で前記方向性パターンに対応するジェスチャーイベントを生成すれば、前記メイン画面モードに進入するステップを含む、アンケートが連動されたユーザインタフェース方法を提供する。
【選択図】図３【図１】
0006625767.tif 000002
【図２】
0006625767.tif 000003
【図３】
0006625767.tif 000004
【図４】
0006625767.tif 000005
【図５】
0006625767.tif 000006
【図６】
0006625767.tif 000007
【図７】
0006625767.tif 000008
【図８】
0006625767.tif 000009
【図９】
0006625767.tif 000010
【図１０】
0006625767.tif 000011
【図１１】
0006625767.tif 000012
【図１２】
0006625767.tif 000013
【図１３】
0006625767.tif 000014